(57)【要約】【課題】オペレータの操作により被撮影者を撮影して形成された複数の顔写真撮影画像の中から最適な顔写真撮影画像を選択するときに、被撮影者の選択画像と、オペレータによる選択確認画像との取り違えを防止する。【解決手段】被撮影者５を撮影して複数の顔画像を取得するカメラ部１０と、カメラ部１０により撮影された複数の顔画像を表示し被撮影者５が目視可能に配置された第１表示手段１４と、第１表示手段１４に表示された複数の顔画像に付与された識別手段８Ａ，８Ｂと、第１表示手段１４により表示された複数の画像から任意の顔画像を選択する第１選択手段４と、第１選択手段４により選択された顔画像を他の顔画像と識別させる識別表示手段９Ａ，９Ｂと、を有する顔画像撮影装置。【選択図】        図１
2004266344.tif 000002
【特許請求の範囲】
【請求項１】
被撮影者を撮影して複数の顔画像を取得する撮影手段と、
該撮影手段により撮影された複数の顔画像を表示し前記被撮影者が目視可能に配置された表示手段と、
該表示手段に表示された複数の顔画像に付与された識別手段と、
前記表示手段により表示された複数の顔画像から任意の顔画像を選択する選択手段と、
該選択手段により選択された顔画像を他の顔画像と識別させる識別表示手段と、
を有することを特徴とする顔画像撮影装置。
【請求項２】
前記識別表示手段は、前記選択手段により選択された顔画像のみを前記表示手段により表示させるものであることを特徴とする請求項１に記載の顔画像撮影装置。
【請求項３】
前記識別表示手段は、前記表示手段に表示されている前記選択手段により選択された顔画像の周囲に、枠の表示を加えるものであることを特徴とする請求項１に記載の顔画像撮影装置。
【請求項４】
前記識別表示手段は、前記表示手段に表示されている複数の顔画像のうち、前記選択手段により選択された顔画像を点滅させるものであることを特徴とする請求項１に記載の顔画像撮影装置。
【請求項５】
前記顔画像撮影装置は、オペレータの操作により被撮影者を撮影するものであって、前記識別表示手段は、前記選択手段により選択された顔画像をオペレータに確認させるものであることを特徴とする請求項１〜４の何れか１項に記載の顔画像撮影装置。
【請求項６】
前記顔画像撮影装置が、被撮影者の操作により撮影して複数の顔画像を形成し、前記表示手段に表示されている複数の顔画像のうち、前記選択手段により選択された顔画像を選択して撮影する自動顔画像撮影装置であることを特徴とする請求項１〜４の何れか１項に記載の顔画像撮影装置。
【請求項７】
撮影手段により被撮影者を撮影して複数の顔画像を形成し、該複数の顔画像をメモリに記憶させ、
前記複数の顔画像を被撮影者が目視可能に配置された表示手段に表示し、
該表示手段に表示された複数の顔画像のそれぞれに付与された識別手段を確認し、
前記表示手段により表示された複数の顔画像から任意の顔画像を選択手段により選択し、
該選択手段により選択された顔画像を識別表示手段により他の顔画像と識別し、
前記選択手段により選択された顔画像を記録させることを特徴とする顔画像撮影方法。
【請求項８】
請求項１〜６の何れか１項に記載の撮影手段、表示手段、選択手段、識別表示手段から成る顔画像撮影装置と、
該顔画像撮影装置を制御する制御手段と、
前記顔画像撮影装置により撮影された被撮影者の複数の顔画像を記憶する記憶手段と、
前記選択手段により選択された顔画像を記録する画像出力手段と、
を備えたことを特徴とする顔画像撮影システム。
【発明の詳細な説明】
【０００１】
【発明の属する技術分野】
本発明は顔画像撮影装置、顔画像撮影方法及び顔画像撮影システムに関し、特に、被撮影者の少なくとも顔部分を撮影する身分証明書、運転免許証等の顔画像撮影装置、顔画像撮影方法及び顔画像撮影システムに関する。
【０００２】
【従来の技術】
従来より、被撮影者を照明して、照明された被撮影者の少なくとも顔部分をオペレータにより撮影する顔画像撮影装置が知られている。また、被撮影者自身が操作して、少なくとも顔部分を撮影する顔画像撮影装置が知られている。用途としては、身分証明書用写真、運転免許証証用写真等がある。
【０００３】
履歴書やパスポート、運転免許証、身分証明書などに貼付する証明書用顔写真を撮影する手段として、銀塩フィルム使用カメラやデジタルカメラを用いて撮影し、自動現像機、サーマルプリンタ、昇華型プリンタ、インクジェットプリンタ等の出力装置に出力して所定の写真を提供する顔画像撮影装置が一般に利用されている。
【０００４】
また街頭などには、自動的に証明書用のサイズで撮影してそのプリント画像を販売する証明書用写真自動販売機が設置されており、被撮影者は撮影後に僅かな時間待つことによって簡単に証明写真を得ることができる。
【０００５】
従来の証明書用顔画像撮影装置は１人で簡単に証明書用写真が撮影できるが、自動的に撮影が行われるために、撮影の瞬間に例えば、瞬きをしたり、動いたり等をしてしまっても気づかず、出来上がった写真が証明書用写真として使用するには不適切なものとなってしまうことがある。このような場合、被撮影者は再度料金を支払い、撮影し直さなければならないという問題があった。
【０００６】
撮影した写真が目をつぶっていたり、ブレていたりして証明書用の写真として不適切の場合は、直ぐに気が付かずＩＤカード作成や証明書の作成を依頼する段階で、所定の基準を満足していないことを知る場合も多く混乱する原因となっている。この様な場合は、再度撮影し直しになるので、時間を無駄にすると同時に再度料金を支払わなければならないという問題があった。
【０００７】
オペレータの操作によって被撮影者を撮影して免許証を作成する場合には、撮影後、免許証が完成してからでないと、顔画像を確認することができないとう問題がある。このため、撮影された複数の顔画像写真を見せて、その中から気に入る顔画像写真を選択選択できる顔画像撮影装置が要望される。
【０００８】
特許文献１には撮影した複数画像を順次表示し、被撮影者は表示された画像の中より自分で気に入った任意の画像を選択することができる顔画像撮影装置が開示されている。
【０００９】
また、証明写真や顔写真入りのＩＤカードにおいて、顔画像が自然な表情で撮影される事がユーザーである被撮影者の満足度を高める因子の一つである。
【００１０】
身分証明書に使用される写真の撮影では、被撮影者が免許センター、警察署等の撮影場所の雰囲気にのまれてしまって、表情が硬くなり、自然な表情の顔写真を得ることが意外に困難である。
【００１１】
また、１回目の撮影から若干時間間隔をあけて２回目の撮影を行うと、被撮影者が撮影の雰囲気に慣れるためであると考えられるが、１回目の撮影よりもリラックスした表情の顔写真が得られる傾向がある。
【００１２】
したがって、顔画像撮影装置に被撮影者が撮影された自分の顔写真を確認するための手段を設ける事は、ユニットの満足度を高めるための手段として有効なものであると推測される。
【００１３】
このような顔画像撮影装置の中には、撮影した顔画像を確認するための手段を有するものがある。例えば、特許文献２に、１回の撮影操作で複数枚の顔画像が連続して取り込まれ、その中から適正な顔画像を選択する技術が開示されている。
【００１４】
特許文献２に開示された技術では、撮影された顔画像を一覧表示する機能を有するものではないが、撮影した複数の顔画像をモニター画面上に一覧表示させて、その中から必要な顔画像を選択し、選択した顔画像を改めてモニター画面上に再表示させる技術が特許文献３に開示されている。
【００１５】
これらの状況から、撮影された複数の顔画像の中から、被撮影者が写真としても気に入り、且つ、各種証明書等の要求を満たす顔画像を再撮影をすることなしに得ることができる顔画像撮影装置、顔画像撮影方法及び顔画像撮影システムの開発が望まれている。
【００１６】
【特許文献１】
特開平７−２７１９５１号公報（特許請求の範囲）
【００１７】
【特許文献２】
特開平７−４４６８３号公報（段落番号００１０）
【００１８】
【特許文献３】
特開２０００−１１０６１号公報（段落番号０００６〜００１２）
【００１９】
【発明が解決しようとする課題】
特許文献１に開示された技術では、自分で撮影した顔画像の中より最適顔画像と判断した顔画像を選択するのであるが、撮影した写真が使用するＩＤカードや免許証が要求している条件を満たしていれば良いが、条件を満たしていない場合、再度撮影を行わなければならない。
【００２０】
特許文献２に開示された技術は、目つぶりした撮影画像の排除を目的としたもので、オペレータのみが撮影画像の確認、選択を行うものであり、被撮影者が画像の確認と選択とを行う事が記載されていない。また、特許文献３についても、被撮影者が画像を確認する事は記載されていない。
【００２１】
したがって、被撮影者が撮影された自分の顔写真を確認し、納得した顔写真画像を選択させるというユーザーを満足させて顔写真撮影を行う顔画像撮影装置はあまり検討されていなかったものと推測される。
【００２２】
一方、オペレータが撮影した顔画像の中から、被撮影者が確認し、その中から納得のいく顔画像を選択するという工程が加わると、被撮影者が選択した顔画像を、オペレータが取り違えることなく、複数の顔画像の中から確実に選択するように、被撮影者とオペレータとの間で、確実な意志の疎通がなされなくてはならない。
【００２３】
即ち、被撮影者が選択した複数の顔画像の中から最適の顔画像を選択し、特定の顔画像をオペレータに伝達するとき、複数の顔画像の右又は左と呼称するだけでは、オペレータが誤って特定の顔画像以外の別の顔画像と取り違えてしまうようなトラブルが新たに発生する可能性が考えられる。
【００２４】
このような装置では、被撮影者が選択した顔画像を、オペレータに確実に伝達させる手段を設ける必要性が生じてくる。
【００２５】
本発明は上記状況に鑑みなされたもので、本発明の第１の目的は、被撮影者が撮影された自分の顔写真を確認するための手段を有する顔画像撮影装置、顔画像撮影方法及び顔画像撮影システムを提供することにある。
【００２６】
本発明の第２の目的は、オペレータの操作により、被撮影者の顔写真画像を得る顔画像撮影装置に関し、被撮影者が選択した顔画像をオペレータが誤って取り違えてしまうことなく、確実に選択した顔画像の選択を実施の形態可能にする顔画像撮影装置、顔画像撮影方法及び顔画像撮影システムを提供することにある。
【００２７】
【課題を解決するための手段】
上記の目的は下記のいずれかにより達成できる。
【００２８】
（１）  被撮影者を撮影して複数の顔画像を取得する撮影手段と、該撮影手段により撮影された複数の顔画像を表示し前記被撮影者が目視可能に配置された表示手段と、該表示手段に表示された複数の顔画像に付与された識別手段と、前記表示手段により表示された複数の顔画像から任意の顔画像を選択する選択手段と、該選択手段により選択された顔画像を他の顔画像と識別させる識別表示手段と、を有することを特徴とする顔画像撮影装置。
【００２９】
（２）  撮影手段により被撮影者を撮影して複数の顔画像を形成し、該複数の顔画像をメモリに記憶させ、前記複数の顔画像を被撮影者が目視可能に配置された表示手段に表示し、該表示手段に表示された複数の顔画像のそれぞれに付与された識別手段を確認し、前記表示手段により表示された複数の顔画像から任意の顔画像を選択手段により選択し、該選択手段により選択された顔画像を識別表示手段により他の顔画像と識別し、前記選択手段により選択された顔画像を記録させることを特徴とする顔画像撮影方法。
【００３０】
（３）  前記（１）に記載の撮影手段、表示手段、選択手段、識別表示手段から成る顔画像撮影装置と、該顔画像撮影装置を制御する制御手段と、前記顔画像撮影装置により撮影された被撮影者の複数の顔画像を記憶する記憶手段と、前記選択手段により選択された顔画像を記録する画像出力手段と、を備えたことを特徴とする顔画像撮影システム。
【００３１】
【発明の実施の形態】
本発明の実施形態に係わる顔画像撮影装置、顔画像撮影方法及び顔画像撮影装置を適用した顔画像撮影システムについて説明する。
【００３２】
［顔画像撮影システムの構成］
図１は本発明の顔画像撮影装置を適用した顔画像撮影システムの全体構成を示す模式図である。
【００３３】
顔画像撮影システムは、顔画像撮影装置１、椅子２、バックパネル３、及び画像出力装置（プリンタ）２０（図２参照）等より構成されている。顔画像撮影装置１は、被撮影者５を照明して撮影する装置であり、椅子２は被撮影者５の座る椅子であり、さらにバックパネル３は被撮影者５の背面に配置されたパネルである。
【００３４】
顔画像撮影装置１はオペレータ（撮影者）６によって操作される。顔画像撮影装置１は、カメラ部（撮影手段）１０、位置調整機構１１、主照明部１２、補助照明部１３、第１表示手段１４、操作手段１５、第２表示手段１６、制御手段１７、記憶手段１９等から構成されている。
【００３５】
カメラ部１０は、撮影レンズ、シャッタ、撮像素子（ＣＣＤ等）、制御回路、記憶媒体（メモリーカード等）等から成るデジタルカメラ又はデジタルビデオカメラ等により構成されている。位置調整機構１１は、カメラ部１０を上下方向の傾き、高さを調整する。
【００３６】
主照明部１２には、主照明光源１２Ａの位置調整機構、照明光の向き調整機構、照明光量調整機構がある。補助照明部１３には、補助照明光源１３Ａの位置調整機構、照明光の向き調整機構、照明光量調整機構がある。主照明光源１２Ａ、補助照明光源１３Ａには、ストロボライト、ハロゲンランプ、蛍光灯等が使用される。
【００３７】
オペレータ側の第２表示手段１６には、被撮影者のモニター画像を表示できるようになっている。
【００３８】
操作手段１５は、複数の撮影画像から最適の画像を選択して操作し、確定する操作パネルである。操作手段１５（図２参照）は被撮影者の個人コード等を入力する。操作手段１５としては、キーボード、マウス、タッチペン、タッチパネルが使用される。
【００３９】
顔画像撮影装置１の前面側に配置された第１表示手段１４は、カメラ部１０によって撮影された複数の画像を表示し、被撮影者５により目視可能である。
【００４０】
第１表示手段１４、第２表示手段１６には、液晶モニター、ＣＲＴモニター等が使用される。
【００４１】
画像出力装置２０としては、撮影されて選択された画像のデジタル画像情報から出力可能な手段ならば特に限定はなく、昇華型プリンタ、インクジェットプリンタ、熱転写型プリンタ、電子写真方式プリンタ等が挙げられ、目的、用途によって選択される。
【００４２】
図２は、本発明の顔画像撮影装置を適用した顔画像撮影システムのブロック図である。
【００４３】
顔画像撮影装置１のカメラ部１０の前方には、椅子２が置かれ、被撮影者５が着席して撮影が行われる。顔画像撮影装置１には、記憶手段１９を有する中央演算装置（パソコン）などの制御手段１７が接続されている。制御手段１７には、カメラ部１０、位置調整機構１１、主照明部１２、補助照明部１３、第１表示手段１４、第２表示手段１６、選択手段１５、記憶手段１９、画像出力装置２０が接続されている。
【００４４】
図２の場合、オペレータ６が撮影操作を行い、被撮影者５が、撮影された複数の顔画像を表示する第１表示手段１４によって最適の顔画像を選択し、選択した顔画像の記号をオペレータに知らせて、オペレータ６が選択画像の確定を行い、操作手段１５によって記憶手段１９に入力するものである。
【００４５】
カメラ部１０により撮影された画像は、操作手段１５、制御手段１７を介して一旦、記憶手段１９に記憶される。引き続き撮影された複数の画像も、制御手段１７を介して一旦、記憶手段１９に記憶される。すべての撮影が終了した時点で、撮影された複数の画像が第１表示手段１４、第２表示手段１６に並べて表示される。
【００４６】
被撮影者５は、第１表示手段１４に表示された複数の画像のうち、好みの１枚の画像を選択する。選択されなかった画像情報は、記憶手段１９から削除され、選択された画像のみが記憶手段１９に記憶される。オペレータ６が操作手段１５を操作することにより、選択された画像のみが画像出力装置２０によって出力される。
【００４７】
図２では、１台の顔画像撮影装置１と１台の画像出力装置２０とが接続されているが、複数台の顔画像撮影装置１と、１台の画像出力装置２０とを接続する事も可能である。
【００４８】
［第１表示手段及び第２表示手段］
図３（ａ）は、第１表示手段１４、第２表示手段１６に表示された複数の画像の正面図である。第１表示手段１４と第２表示手段１６とはほぼ同じ構成をなすから、以下、第１表示手段１４を代表して説明する。
【００４９】
第１表示手段１４は、連続的に撮影された複数の画像７Ａ，７Ｂを並べて表示し、各画像に対応する識別手段８Ａ，８Ｂを付け、画像を指定できるようにした。被撮影者５は、第１表示手段１４に表示された複数の画像のうち、好みの画像を選択して、この画像に対応する識別手段（例えば、８Ｂ）を確認して、対応する識別手段をオペレータ６に知らせる。
【００５０】
もし、被撮影者５により選択した顔画像が、所定の顔画像でないとオペレータ６が判断した場合には、撮影をやり直す事もある。
【００５１】
第１表示手段１４は、表示されている複数の画像のうち、選択された画像（例えば７Ｂ）の周囲に、額縁状の識別表示手段９Ａ，９Ｂの何れか（例えば９Ｂ）の表示を行うように構成されている。
【００５２】
又は、第１表示手段１４は、表示されている複数の画像のうち、選択された画像（例えば７Ｂ）を光源によって点滅させるように構成されている。
【００５３】
あるいは、目線追尾機構によって選択された画像を特定する事も可能である。
図３（ｂ）は、オペレータ側に操作手段１５の平面図である。
【００５４】
操作手段１５のコンソールパネルには、被撮影者５の座高に合わせて自動撮影する自動撮影キー１５１、確認キー１５２、手動撮影キー１５３、選択キー１５４，１５５、識別番号１５６，１５７、入力キー１５８等が配置されている。
【００５５】
自動撮影キー１５１の操作により、カメラ部１０により被撮影者５の顔画像が連続して複数枚撮影され、第１表示手段１４及び第２表示手段１６に表示される（図１、図３参照）。被撮影者５は第１表示手段１４に表示された複数の顔画像７Ａ，７Ｂから任意の顔画像（例えば７Ｂ）を選択し、顔画像に付された識別手段（例えば８Ｂ）の番号（例えば２番）をオペレータ６に声によって知らせる。
【００５６】
オペレータ６は、被撮影者５からの識別手段（例えば８Ｂ）の番号（例えば２番）を聞いて、番号（例えば２番）に対応する選択キー（例えば１５５）を押して入力する。選択された顔画像（例えば８Ｂ）は、第２表示手段１６に表示される。
【００５７】
第２表示手段１６においては、識別手段（例えば８Ｂ）が点灯する。または顔画像（例えば８Ｂ）を囲む額縁状の識別表示手段（例えば８Ｂ）が点灯、または点滅する。あるいは、選択された顔画像（例えば７Ｂ）のみが表示され、他の顔画像（例えば７Ａ）が消灯する。
【００５８】
［撮影システムによる画像作成工程］
図４は、本発明の撮影システムによる撮影から画像出力に至るまでの一例を示すフローチャートである。
【００５９】
ステップＳ１で、オペレータ６が操作手段１５を操作することで、顔画像撮影装置１のカメラ部１０によって被撮影者５の顔写真が撮影される。撮影は連続して複数回行われる。
【００６０】
ステップＳ２で、撮影された複数の画像はオペレータ６が操作手段１５を操作する事で制御手段１７を介して記憶手段１９に記憶される。
【００６１】
ステップＳ３で、撮影された複数の画像はオペレータ６が操作手段１５を操作する事で、第１表示手段１４及び第２表示手段１６に一覧表示される（図３参照）。
【００６２】
ステップＳ４で、被撮影者５により第１表示手段１４に表示された複数の画像から最適の画像が目視によって選択され、選択された顔画像の識別番号をオペレータ６に知らせる。もし、最適の画像がない場合には、再度、撮影をやり直す。
【００６３】
ステップＳ５で、オペレータ６により操作手段１５を操作して、最適の画像に付された識別手段（例えば８Ｂ）を指定して入力する。
【００６４】
ステップＳ６で、選択された画像（例えば７Ｂ）が、第１表示手段１４、第２表示手段１６に識別表示される。
【００６５】
ステップＳ７で、被撮影者５は第１表示手段１４を目視して選択された顔画像（例えば７Ｂ）を表示する識別表示手段（例えば９Ｂ）により確認する。同時に、オペレータ６は第２表示手段１６を目視して選択された顔画像（例えば７Ｂ）を表示する識別表示手段（例えば９Ｂ）により確認する。もし、被撮影者５による選択画像が規定の顔画像に適合しないことをオペレータ６が発見したときには、画像選択をやり直す。又は、ステップ８で初めから撮影をやり直す。
【００６６】
ステップＳ９で、オペレータ６は選択された顔画像を、操作手段１５の確認キー１５２により確定して他のデータとともに入力する。
【００６７】
ステップＳ１０で、選択された顔画像は、記憶手段１９に記憶される。
ステップＳ１１で、選択された顔画像は、画像出力装置２０に出力され、顔写真入りの所定の免許証、身分証明書などが作成される。
【００６８】
本発明の顔画像撮影装置１、及び顔画像撮影システムは、撮影された顔画像を証明書用に選択するに当たり被撮影者の好む顔写真で且つ証明書として使用できる顔写真を得るため、被撮影者５による一次選択、オペレータ６による二次選択と確認操作に分けることで達成される。
【００６９】
即ち、一次選択では被撮影者５は一次選択で選択された顔画像の中から自分の好みの顔画像を任意に選択し、二次選択ではオペレータ６が一次選択で選択された顔画像が証明書として使用できる顔写真である事を確認することで、被撮影者５の好む顔写真で、且つ証明書として使用できる顔写真を得ることが可能となる。
【００７０】
これにより、従来発生していた、証明書用としては不適であったり、あるいは気に入らない顔写真が形成され、撮り直しのため、再度時間を費やして撮影する等の無駄なことがなくなる。
【００７１】
［顔画像撮影装置の他の実施の形態］
図１，図２に示す顔画像撮影装置１は、オペレータ６の操作により被撮影者５を撮影するものであって、被撮影者５が第１表示手段１４によって確認、選択し、選択された顔画像を、第２表示手段１６によって、オペレータ６にも確認させるものであるが、本発明はこれに限定されるものではなく、被撮影者５の操作により撮影して複数の画像を形成し、第１表示手段１４に表示されている複数の画像のうち、操作手段４により選択された画像を選択して撮影する自動顔画像撮影装置（証明書写真撮影装置）にも適用可能である。
【００７２】
図５は、自動顔画像撮影装置の一例を示す模式図である。なお、図面に使用されている符号について、図１と同じ機能を有する部分には、同符号を付している。また、前記の実施の形態と異なる点を説明する。
【００７３】
被撮影者５による自動撮影時には、被撮影者５は被撮影者５の座高に合わせて椅子２の高さを調製して着席し、第１表示手段１４により画枠位置と顔画像位置との相対位置や姿勢、服装を確認する。その後、第１表示手段１４により顔画像位置を確認し、撮影レンズを注目して、シャッタを作動させて複数枚の顔画像を取得するものである。
【００７４】
図３（ｃ）は、被撮影者５が操作するの操作手段４の操作パネル４０の平面図である。
【００７５】
操作パネル４０には、選択キー４１，４２と、撮影開始キー４３とが配置されている。撮影開始キー４３の操作により、被撮影者５の顔画像が連続して複数枚撮影され、第１表示手段１４に表示される。被撮影者５は第１表示手段１４に表示された複数の顔画像７Ａ，７Ｂから任意の顔画像を選択し、操作手段４の操作パネル４０の選択釦４１，４２のうち選択された顔画像（例えば７Ｂ）に付された識別手段（例えば８Ｂ）に対応する選択釦（例えば４Ｂ）を操作する。この選択操作により、識別手段（例えば８Ｂ）が点灯し、顔画像選択が目視で確認可能となる。
【００７６】
顔画像選択を確認した後、図示しない入力釦を押せば、選択された顔画像が記憶手段１９に入力され、最適な１枚又は複数枚の顔画像写真が得られる。
【００７７】
【発明の効果】
以上のように構成した本発明の顔画像撮影装置、顔画像撮影方法及び顔画像撮影システムにより、次のような効果が得られる。即ち、連続的に撮影された複数の顔画像の中から、被撮影者が写真としても気に入り、且つ、各種証明書用の写真として適切なものを選択し、撮り直しの必要なしに確実に顔画像を取得できる顔画像撮影装置、顔画像撮影方法及び顔画像撮影システムを提供することができ、被撮影者による選択画像と、オペレータ６による選択画像との取り違いが防止され、最適な画像が得られる。また、撮り直しによる無駄な時間を必要としなくなった。
【図面の簡単な説明】
【図１】本発明の顔画像撮影装置を適用した顔画像撮影システムの全体構成を示す模式図。
【図２】本発明の顔画像撮影装置を適用した顔画像撮影システムのブロック図。
【図３】第１表示手段、第２表示手段に表示された複数の画像の正面図、及び第１選択手段の操作パネルの平面図。
【図４】本発明の撮影システムによる撮影から画像出力に至るまでの一例を示すフローチャート。
【図５】自動撮影装置の一例を示す模式図。
【符号の説明】
１  顔画像撮影装置
２  椅子
３  バックパネル
４  操作手段
５  被撮影者
６  オペレータ（撮影者）
７Ａ，７Ｂ  顔画像
８Ａ，８Ｂ  識別手段
９Ａ，９Ｂ  識別表示手段
１０  カメラ部（撮影手段）
１１  位置調整機構
１４  第１表示手段
１５  操作手段
１６  第２表示手段
１７  制御手操作手段
１９  記憶手段
２０  画像出力装置（プリンタ）
４０  操作パネル
４１，４２  選択キー
４３  撮影開始キー
【図１】
2004266344.tif 000003
【図２】
2004266344.tif 000004
【図３】
2004266344.tif 000005
【図４】
2004266344.tif 000006
【図５】
2004266344.tif 000007